(57)【要約】【課題】  被検眼がＩＯＬ装着眼の場合であっても、被検者に負担をかけることなく短時間でのアライメントを可能とする眼科装置を提供する。【解決手段】  眼科装置に対して、アライメント光を被検眼に照射して得られる複数の輝点像から複数組の輝点像を抽出可能な抽出手段と、複数組の輝点像において対応する輝点像の輝度値の比較を行う輝度値比較手段と、輝度値比較手段による輝度値の比較結果に基づいて一組の輝点像を選択する選択手段と、を配し、選択手段により選択された該一組の輝点像に基づいて被検眼と光学ヘッドとのアライメントを行うこととする。【選択図】  図５
2014023805.tif 000002
【特許請求の範囲】
【請求項１】
被検眼に光束を投影する投影光学系、及び
前記光束の前記被検眼からの反射光束によって形成された複数の輝点像を受光する撮像素子を含む受光光学系を有する光学ヘッドと、
前記被検眼と前記光学ヘッドとのアライメントを行うアライメント手段と、を有し、更に
前記複数の輝点像から任意の輝点像を抽出可能な抽出手段と、
前記複数の輝点像において前記任意の輝点像と前記任意の輝点像に対応する輝点像との輝度値の比較を行う輝度値比較手段と、
前記輝度値比較手段による前記輝度値の比較結果に基づいて特定の輝点像を選択する選択手段と、を有し、 
前記アライメント手段は前記選択手段により選択された前記特定の輝点像に基づいて前記アライメントを行うことを特徴とした眼科装置。
【請求項２】
前記抽出手段が抽出する任意の輝点像は複数組の輝点像であり、
前記輝度値比較手段が輝度値を比較する輝点像は、前記複数組の輝点像の各々の組にて対応する輝点像であり、
前記選択手段により選択される特定の輝点像は前記複数組における一組の輝点像であることを特徴とする請求項１に記載の眼科装置。
【請求項３】
前記投影光学系より前記被検眼に投影される光束の光量を調整する調整手段を更に有し、
前記調整手段は、前記輝度値の比較に於いて、対応する輝点像の前記輝度値の比較の結果が同じであった場合には、前記被検眼に投影される光束の光量を減光することを特徴とした請求項１又は２に記載の眼科装置。
【請求項４】
前記受光光学系において受光の際にゲインを調整する調整手段を更に有し、
前記調整手段は、前記輝度値の比較に於いて、対応する輝点像の前記輝度値の比較の結果が同じであった場合には、前記受光光学系のゲインを低くすることを特徴とした請求項１又は２に記載の眼科装置。
【請求項５】
前記被検眼の前眼部を照明する前眼部照明光源を更に有し、前記調整手段は前記受光光学系のゲインを低くした場合に、該前眼部照明光源の光量を増光することを特徴とした請求項４に記載眼科装置。
【請求項６】
前記抽出手段は、所定の間隔を明けて配置される二つの輝点像と前記輝点像の中央の輝点像とからなる三つの輝点像を前記複数組における一組の輝点像として抽出することを特徴とする請求項２に記載の眼科装置。
【請求項７】
前記受光光学系は前記反射光束を受光する複数の画素を有し、
前記抽出手段は、前記複数の画素における所定数の画素群が閾値以上の輝度値を有するときに、前記画素群は輝度像を構成すると判断することを特徴とする請求項１乃至６の何れか一項に記載の眼科装置。
【請求項８】
投影光学系より被検眼に光束を投影し、 
受光光学系により前記光束の前記被検眼からの反射光束によって形成された複数の輝点像を受光し、
前記複数の輝点像から複数組の輝点像を抽出し、
前記複数組の輝点像において対応する輝点像の輝度値の比較を行い、
前記輝度値の比較結果に基づいて一組の輝点像を選択し、
選択された前記一組の輝点像に基づいて前記被検眼と前記投影光学系及び前記受光光学系とのアライメントを実行することを特徴とする眼科装置のアライメント方法。
【請求項９】
前記輝度値の比較に於いて、対応する輝点像の前記輝度値の比較の結果が同じであった場合には、前記投影光学系より前記被検眼に投影される光束の光量を減光することを特徴とする請求項８に記載の眼科装置のアライメント方法。
【請求項１０】
前記輝度値の比較に於いて、対応する輝点像の前記輝度値の比較の結果が同じであった場合には、前記受光光学系のゲインを低くすることを特徴とする請求項８に記載の眼科装置のアライメント方法。
【請求項１１】
請求項８乃至１０のいずれか１項に記載の眼科装置のアライメント方法の各工程をコンピュータに実行させることを特徴とするプログラム。
【発明の詳細な説明】
【技術分野】
【０００１】
本発明は、被検眼の眼特性を測定するまたは該被験眼を撮影する眼科装置、及び該眼科装置における被検眼と投影光学系等とのアライメント方法に関するものである。
【背景技術】
【０００２】
従来、アライメント機構を有する眼科装置は被検眼角膜によるアライメント光束の反射像を指標として、指標が所定の位置、形状になるように測定部を制御してアライメントを行う装置が知られている。これら、アライメント機構を有する眼科装置に於いて、アライメント精度を高めるためにアライメント光源や指標像を撮像する撮像手段のゲインを制御することが知られている。
【０００３】
例えば、特許文献１に於いては、アライメントの光軸方向の位置合せをアライメント光束の反射像光量によって判断するアライメント装置の例が示されている。
本先行例においてはアライメント光束の反射像光量はアライメントの良否だけでなく、被検眼の角膜反射率の違いによっても増減することに着目している。アライメント精度を高めるために被検眼に照明光源により照明し、その反射光量によりアライメント光源の光量または、アライメント完了判断基準を変更することを開示している。
【０００４】
また、特許文献２に於いては、光学系のよごれ等によってアライメント反射像の光量が下がることに着目している。アライメント反射像光量を一定にするために、アライメント照射光量とアライメント反射光量の光量比を規定値と比較して、規定値と異なっていた場合にはアライメント光量を増加する光量制御手段を有することを開示している。
【先行技術文献】
【特許文献】
【０００５】
【特許文献１】特開平８−２０６０６５号公報
【特許文献２】特開平７−００８４６０号公報
【発明の開示】
【発明が解決しようとする課題】
【０００６】
白内障患者には、水晶体の代りにＩＯＬ（人工水晶体）を挿入する手術を行う。
しかし、ＩＯＬは水晶体に比べ屈折率が高く、角膜に投影した光束がＩＯＬ反射光として反射する。そのため、ＩＯＬ反射ゴーストを、本来のアライメント反射像と誤検知してしまい、アライメント操作が正常に完了しないという問題があった。
【０００７】
この現象の概略を図１に示す。
アライメント投影光束は角膜Ｃによって反射され、角膜反射による虚像Ｐが出来る。
角膜によって反射されなかった投影光束がＩＯＬによって反射され実像Ｐ’を形成しＩＯＬ反射ゴーストとなってアライメント反射光の受光光学系に入射され、撮像手段によって撮像される。
【０００８】
このため、アライメントのための輝点として検出されるアライメント輝点像の組み合わせが複数存在することとなり、アライメント動作を間違いなく実行する上でアライメントに要する時間が長くなる。そこで、被検者にかかるこれ等の負担の低減が求められている。
【０００９】
本発明の目的は、前記問題点を解消し、ＩＯＬを挿入した被検眼でも、正確にオートアライメントを行い、測定時間を短縮することにより被検者の負担を軽減することが可能な眼科装置及び該眼科装置のアライメント方法を提供することである。
【課題を解決するための手段】
【００１０】
上記課題を解決するために、本発明に係る眼科装置は、被検眼に光束を投影する投影光学系、及び
前記光束の前記被検眼からの反射光束によって形成された複数の輝点像を受光する受光光学系を有する光学ヘッドと、
前記被検眼と前記光学ヘッドとのアライメントを行うアライメント手段と、を有し、更に
前記複数の輝点像から任意の輝点像を抽出可能な抽出手段と、
前記複数組の輝点像において前記任意の輝点像と前記任意の輝点像に対応する輝点像との輝度値の比較を行う輝度値比較手段と、
前記輝度値比較手段による前記輝度値の比較結果に基づいて特定の輝点像を選択する選択手段と、を有し、 
前記アライメント手段は前記選択手段により選択された前記特定の輝点像に基づいて前記アライメントを行うことを特徴とする。
【発明の効果】
【００１１】
本発明によれば、被検眼がＩＯＬ装着眼の場合であっても、正しいアライメント輝点像の組合せを決定できるのでアライメント動作を間違わないためアライメント時間を短縮することができ、精度良く正しくできるので被検者に負担をかけることがない。
【図面の簡単な説明】
【００１２】
【図１】ＩＯＬによるアライメントゴーストを説明した説明図である。
【図２】本発明の一実施例に係る光学系の構成説明した説明図である。
【図３】アライメントプリズム絞りの詳細な説明図である。
【図４】ＬＣＤモニタに表示された観察画像の説明図である。
【図５】アライメント輝点像検出のフローチャートである。
【図６】、輝点検出手段による輝点Ｔ１の解析の説明図である。
【図７】上下にずれている時のアライメント輝点像の動きを説明した説明図である。
【図８】ＬＣＤモニタに表示されたＩＯＬゴーストのある観察画像の説明図である。
【図９】輝点検出手段による輝点Ｔ１’の解析の説明図である。
【図１０】輝点検出手段による輝点Ｔ１’の解析の別の説明図である。
【図１１】輝点検出手段による減光された時の輝点Ｔ１’の解析の説明図である。
【図１２】左右にずれている時のアライメント輝点像の動きを説明した説明図である。
【図１３】光軸方向にずれている時のアライメント輝点像の動きを説明した説明図である。
【図１４】アライメント輝点像の完了位置を説明した説明図である。
【発明を実施するための形態】
【００１３】
以下に、本発明の実施の形態を添付の図面に基づいて詳細に説明する。
【実施例１】
【００１４】
本発明を図示の実施例に基づいて詳細に説明する。
図２は本発明に係る眼科装置の一例である眼屈折力計における光学ヘッドを含んだ測定部概略構成図を示している。
【００１５】
波長８８０ｎｍの光を照射する眼屈折力測定及びアライメント指標用の光源２０１から被検眼Ｅに至る光路０１上には、レンズ２０２、被検眼Ｅの瞳孔Ｅｐとほぼ共役な絞り２０３、孔あきミラー２０４、拡散板２２２、レンズ２０５、及び被検眼Ｅ側から波長８８０ｎｍ以下の赤外および可視光を全反射し波長８８０ｎｍ以上の光束を一部反射するダイクロイックミラー２０６が順次に配置され測定光投影光学系を構成している。当該測定光投影光学系は、本発明において被検眼に光束を投影する投影光学系の一態様として機能する。
【００１６】
孔あきミラー２０４の反射方向の光路０２上には、瞳孔Ｅｐとほぼ共役で円環状の開口を備えた絞り２０７、光束分光プリズム２０８、レンズ２０９、及び撮像手段２１０が順次に配列され、測定光受光光学系を構成している。  上述した光学系は眼屈折力測定用であり、光源２０１から発せられた光束は、絞り２０３で光束が絞られつつ、レンズ２０２によりレンズ２０５の手前で１次結像され、レンズ２０５、及びダイクロイックミラー２０６を透過して被検眼Ｅの瞳中心に投光される。
【００１７】
投光された光束は眼底で反射し、眼底反射光は瞳中心を通って再びレンズ２０５に入射される。入射された光束はレンズ２０５を透過後に、孔あきミラー２０４の周辺で反射される。
反射された光束は被検眼瞳孔Ｅｐと略共役な絞り２０７および円錐形をしたプリズム２０８で瞳分離され、撮像手段２１０の受光面にリング像として投影される。
【００１８】
被検眼Ｅが正視眼であれば、このリング像は所定の円になり、近視眼では正視眼に対して円が小さく、遠視眼では正視眼に対して円が大きくなり投影される。
被検眼Ｅに乱視がある場合はリング像が楕円になり、水平軸と楕円のなす角度が乱視軸角度となる。この楕円の係数を基に屈折力を求める。
拡散板２２２は測定光投影光学系と測定光受光光学系と共用される位置で、光路内に挿脱可能に設けられている。
絞り２０７は円環状の開口部を有した２つの絞りである。
【００１９】
一方、ダイクロイックミラー２０６の反射方向には、固視標投影光学系と、被検眼の前眼部観察とアライメント検出とにおいて共用されるアライメント受光光学系とが配置されている。
固視標投影光学系の光路０３上には、レンズ２１１、ダイクロイックミラー２１２、レンズ２１３、折り返しミラー２１４、レンズ２１５、固視標２１６、及び固視標照明用光源２１７が順次に配列されている。
【００２０】
固視誘導時に、点灯された固視標照明用光源２１７の投影光束は、固視標２１６を裏側から照明し、レンズ２１５、折り返しミラー２１４、レンズ２１３、ダイクロイックミラー２１２、及びレンズ２１１を介して被検眼Ｅの眼底Ｅｒに投影される。
なお、レンズ２１５は被検眼Ｅの視度誘導を行い、雲霧状態を実現するために、固視誘導モータ２２４により光軸方向に移動できるようになっている。
【００２１】
また、ダイクロイックミラー２１２の反射方向の光路０４上には、光路から挿脱されるアライメントプリズム絞り２２３と、レンズ２１８、及び撮像手段２２０が順次に配列されている。アライメントプリズム絞り２２３は実際には紙面と垂直方向に配置されている。当該撮像素子２２０を有する光学系は、本発明において投影された光束の被検眼からの反射光束によって形成された複数の輝点像を受光する受光光学系の一態様として機能する。
【００２２】
撮像手段２２０の出力信号は輝点検出手段２５１、アライメント制御装置２５２に繋がっている。該アライメント制御装置２５２は、後述するアライメント手段、抽出手段、輝度値比較手段、選択手段、等を各々の操作を実行するための制御モジュールとして包含する。
【００２３】
アライメント制御装置２５２はアライメント輝点の位置によって、図示しない測定部駆動機構を制御してアライメント動作を行う。
アライメントプリズム絞り２２３の挿脱により、アライメントプリズム絞り２２３が光路０４上にある時にはアライメントを、光路から退避しているときは前眼部観察または徹照観察を行うことができる。
【００２４】
ここで、図３にアライメントプリズム絞り２２３の形状を示す。円盤状の絞り板に３つの開口部２２３ａ、２２３ｂ、２２３ｃが設けられ、両側の開口部２２３ａ、２２３ｂのダイクロイックミラー２１２側には波長８８０ｎｍ付近のみの光束を透過するアライメントプリズム３０１ａ、３０１ｂが貼付されている。
また図２に戻ると、被検眼Ｅの前眼部の斜め前方には、７８０ｎｍ程度の波長を有する前眼部照明光源２２１ａ、２２１ｂが配置されている。
【００２５】
図４に図示しないＬＣＤモニタに表示される観察画像を示す。
前眼部照明光源２２１ａ、２２１ｂによって照明された被検眼Ｅの前眼部像の光束は、ダイクロイックミラー２０６、レンズ２１１、ダイクロイックミラー２１２、及びアライメントプリズム絞りの中央開口部２２３ｃを介して撮像手段２２０の受光センサ面に結像する。
前述したようにアライメント検出のための光源は、眼屈折力測定用の測定光源２０１と兼用されている。アライメント時には、半透明の拡散板２２２が光路に挿入される。
【００２６】
拡散板２２２が挿入される位置は、前述の測定光源２０１の投影レンズ２０２による略一次結像位置であり、かつレンズ２０５の焦点位置に挿入される。これにより、測定光源２０１の像が拡散板２２２上に一旦結像して、それが二次光源となりレンズ２０５から被検眼Ｅに向かって太い光束の平行光束として投影される。
【００２７】
この平行光束が被検眼角膜Ｅｆで反射されて輝点像を形成し、その光束は再びダイクロイックミラー２０６でその一部が反射され、レンズ２１１を介してダイクロイックミラー２１２で反射し、アライメントプリズム絞りの開口部２２３ｃおよびアライメントプリズム３０１ａ、３０１ｂを透過し、レンズ２１８に収斂されて撮像手段２２０に輝点像Ｔ, Ｔ１, Ｔ２として結像される。
【００２８】
アライメントプリズム絞り２２３の中央の開口部２２３ｃは、前眼部照明光源２２１ａ、２２１ｂの波長７８０ｎｍ以上の光束が通るようになっているので、前眼部照明光源２２１ａ、２２１ｂにより照明された前眼部像の反射光束は、角膜Ｅｆの反射光束の経路と同様に観察光学系を辿り、アライメントプリズム絞り２２３の開口部２２３ａを介して、結像レンズ２１８により撮像手段２２０上に輝点像２２１ａ’、２２１ｂ’として結像される。
これら絞りを介した光束による輝点像各々の位置関係により被検眼Ｅのアライメントを行うことができる。
【００２９】
アライメント輝点像検出について図５に示すアライメント捜査の手順を示すフローチャートに沿って詳述する。
輝点検出手段２５１は図４のように、被検眼前眼部像とアライメント輝点像Ｔ、Ｔ１、Ｔ２と前眼部照明光源像２２１ａ’、２２１ｂ’が撮像されている状態で検者が測定スイッチにより測定が開始される（Ｓ１）と、アライメント制御装置２５２は画像に対して二値化処理を行い、被検眼の瞳孔を検出し（Ｓ２）、その瞳孔中心が光軸０１と同軸になるように測定部駆動機構を制御する（Ｓ３）。
【００３０】
次に輝点検出手段２５１によってアライメント輝点像の組合せを検出する（Ｓ４）。
輝点検出手段２５１は解析範囲として図４中の点線で囲んだ撮像手段２２０の中心に対して縦（Ｖ画素）、横（Ｈ画素）の範囲の各画素の輝度値の解析し、
輝点として認識する条件として、閾値ＴＬ以上（例えば１５０）の画素数（例えば１０）が予め設定されている。即ち、撮像手段２２０中の複数の画素に関して、所定数の画素群が閾値以上の輝度値を有するときに、これら画素群は輝度像を構成していると判断される。なお、この輝度像であるか否かの判断は、アライメント制御装置２５２において輝点像を抽出可能な抽出手段として機能するモジュール領域により実行される。
【００３１】
図６に輝点Ｔ１とＴ１を構成する各画素の輝度値を解析した結果を示す。
閾値ＴＬ＝１５０以上の画素数は１６個あるので輝点として抽出される。
同様にしてＴ２、Ｔに対しても解析が行われＴ２はＴ１とは対称の位置にあるので同じ輝度となる。Ｔは角膜にできるアライメント投影光束の虚像に対して正対位置にあるのでＴ１、Ｔ２よりも輝度が高い。従ってＴ２、Ｔも輝点として抽出される。
【００３２】
抽出が終了するとＴ、Ｔ１、Ｔ２の位置関係を解析する。すなわち、Ｔ１とＴ２の間隔Ｗはアライメントプリズム絞り２２３のアライメントプリズム３０１ａ、３０１ｂの傾斜角度と、受光光学系の結像倍率で決定される数値であり、Ｔ１、Ｔ２の中心（ Ｗ/２)の位置にＴはあることは自明であるので、検出した輝点がこの条件を満たすかを判断し、満たしている場合に（Ｔ、Ｔ１、Ｔ２）をアライメント輝点像候補の組合せとして認識するのである。
【００３３】
次に、輝点検出手段２５１の解析結果を受けてアライメント制御装置２５２は、アライメント輝点候補像が複数あるか判断する（Ｓ５）。即ち、アライメント制御装置２５２において前述した抽出手段は、輝点検出手段２５１にて検出された複数の輝点像から一組の或いは複数組の輝点像を抽出する。ここでは、所定の間隔を空けて配置される二つの輝点像Ｔ１、Ｔ２とこれら輝点像の中央の輝点像Ｔとからなる三点の輝点像を一組の輝点像として抽出する。
【００３４】
図４の場合アライメント輝点像候補の組合せは一つしかないので、この組合せがアライメントに利用するアライメント輝点像として決定される。
アライメント輝点像の組合せが決定されたのでこの輝点像を利用してアライメント動作が行われる(Ｓ６)。
具体的にはアライメント制御装置２５２はアライメントに際して、2つの指標像の座標Ｔ１（ｘ１、 ｙ１)、Ｔ２（ｘ２、 ｙ２)と中心座標Ｔ（ｘｔ、ｙｔ)を算出する。
【００３５】
ここで、指標像Ｔ１、Ｔ２を用いたアライメントについて図７、１２〜１４を用いて説明する。尚、図７では角膜中心をｘ座標とｙ座標の交点Ｃ（ｘ０、ｙ０）で示している。
光路０１の光軸と角膜中心が上下方向にずれていると図７のようにｙ１とｙ２は一致し、角膜中心Ｃ（ｘ０、ｙ０）に対してｘ０とｘｔは一致するが、ｙ方向ｙ０、ｙｔは異なるので図示しない駆動機構によって上下方向に測定部を動かして同じ座標になるように制御する。
【００３６】
同様に左右方向にずれている場合には図１２のようにｙ１、ｙ２は一致し、今度はｘ０とｘｔが異なるので左右方向に測定部を動かして同じ座標になるように制御する。
光路０１の光軸と角膜中心が作動距離方向にずれていると図１３のように重心位置は角膜中心に一致しているが、ｘ１とｘ２、ｙ１とｙ２ともに異なっているので光路０１の光軸方向に測定部を動かしてｙ座標ｙ１とｙ２を一致させるように制御する。
図１４はアライメントが完了した状態である。
【００３７】
［ＩＯＬ装着者に対するアライメント（１)］
ＩＯＬ装着者であってもＳ１〜Ｓ３は上述した工程と同じである。
但し、被検者がＩＯＬを装着している場合には図８のようにＩＯＬによるアライメント投影光束の反射像（Ｔ’、Ｔ１’、Ｔ２’）が生じる。
この場合、Ｓ４に於いて輝点検出手段２５１は縦（Ｖ画素）、横（Ｈ画素）の範囲の各画素の輝度値の解析を行う。
【００３８】
図９に輝点Ｔ１’とＴ１’を構成する各画素の輝度値を解析した結果を示す。
閾値ＴＬ＝１５０以上の画素数は１２個あるので輝点として抽出される。
同様にしてＴ２’、Ｔ’に対しても解析が行われ前述と同様にＴ２’はＴ１’とは対称の位置にあるので同じ輝度であるし、Ｔ’は角膜にできるアライメント投影光束の虚像に対して正面位置にあるのでＴ１’、Ｔ２’よりも輝度が高い。従ってＴ２’,Ｔ’も輝点として抽出される。
【００３９】
抽出が終了するとＴ’、Ｔ１’、Ｔ２’の位置関係を解析する。すなわち、Ｔ１’とＴ２’の間隔Ｗ’は間隔Ｗに対して倍率がかかる分厳密には同値ではないがＷ≒Ｗ’であり、Ｔ１’、Ｔ２’の中心（Ｗ’/２）の位置にＴ’はあるので、検出した輝点がこの条件を満たすかを判断し、満たしている場合にＴ’、Ｔ１’、Ｔ２’をアライメント輝点像候補の組合せとして認識するのである。
従ってアライメント像候補として（Ｔ、Ｔ１、Ｔ２）と（Ｔ’、Ｔ１’、Ｔ２’）の二つの候補が抽出される。
【００４０】
輝点検出手段２５１の解析結果を受けてアライメント制御装置２５２は、アライメント輝点候補像が複数あるか判断する（Ｓ５）。図８の場合アライメント輝点像候補の組合せは二つあるので、Ｓ７にて輝点の輝度差を解析する。
【００４１】
この輝度値の比較による輝度差の解析は、アライメント制御装置２５２において、複数組の輝度像において対応する輝度像の輝度値の比較を行う輝度値比較手段として機能するモジュール領域により実行される。最大輝度はＴ１（図６参照）が２５５に対してＴ１’（図９参照）は２００であるので該輝度値比較手段は輝度の高い（Ｔ、Ｔ１、Ｔ２）の組合せをアライメントに利用するアライメント輝点像の組合せとして決定する。この決定動作は、アライメント制御装置２５２において、輝度値の比較結果に基づいてアライメントに用いる一組の輝度像を選択する選択手段として機能するモジュール領域により実行される。アライメントに用いる輝度像の組が決定されるとＳ６に進み、アライメント制御装置２５２におけるアライメント手段として機能するモジュール領域により、該組の輝点像に基づいてアライメント動作が行われる。
【００４２】
［ＩＯＬ装着者に対するアライメント（２）］
次に、ＩＯＬ装着者であっても、屈折率がより高いＩＯＬを装着している被検者や、ＩＯＬ手術をして間もない被検者の場合にはＩＯＬ反射像の輝度が高くなる。
即ちＳ４に於いて、輝点検出手段２５１がＴ１’を解析した結果が図１０のようになった場合には最大輝度値は２５５で、閾値ＴＬ＝１５０以上の画素数は１２個あるので輝点として抽出される。
【００４３】
この場合にはＳ７に於いて、（Ｔ、Ｔ１、Ｔ２）と（Ｔ’、Ｔ１’、Ｔ２’）に於いて両方の組合せとも最大輝度値が２５５となり輝度差がないので、アライメント輝点像の組合せを決定が出来ない。
この場合にはＳ９にすすむ。
【００４４】
Ｓ９では、アライメント制御装置２５２は眼屈折力測定及びアライメント指標用光源２０１の光量を減光する制御を行う。当該操作は該アライメント制御装置２５２において投影光学系により被検眼に投影される光束の光量を調整する調整手段として機能するモジュール領域により実行される。
これは、本来の角膜反射による輝点像が形成される空気と角膜との屈折率の差は、ＩＯＬによるゴーストの輝点像が形成される房水とＩＯＬとの屈折率の差よりも大きいので輝点輝度は前者の方が高いことを利用している。
眼屈折力測定及びアライメント指標用光源２０１を減光した上でＳ４に戻る。
【００４５】
輝点検出手段２５１によって輝点を検出し、アライメント制御装置２５２によってＳ７にて（Ｔ、Ｔ１、Ｔ２）と（Ｔ’、Ｔ１’、Ｔ２’）の輝度差を比較したときに輝度差が生じるまで繰り返される。
そして例えばＴ１が図１０、Ｔ１’が図１１のようになったとすると、最大輝度値は各々２５５と２３０となるので、アライメント制御装置２５２は、（Ｔ、Ｔ１、Ｔ２）をアライメント輝点像として決定し（Ｓ８）、アライメント動作を行う（Ｓ６）。
【００４６】
本実施例ではＳ９に於いて眼屈折力測定及びアライメント指標用光源２０１を減光する制御を行っているが、撮像手段２２０のゲインを下げて、輝度差を生じさせることも可能である。この場合、該ゲインの調整は前述した調整手段により実行される。ただし、撮像手段２２０のゲインを下げると前眼部像も暗くなって検者にとって視認性が悪くなるので、ゲインをさげた量を補うために前眼部照明光源２２１ａ、２２１ｂの光量を増やすことにより視認性の確保することが考えられる。
【００４７】
なお、前述した実施例では、アライメントプリズム絞り２２３を用いて得られる３つの輝点像からなる一組の輝点像を抽出して、更に複数組の内の各々の組にて対応する輝点像の輝度値を比較してアライメントに用いる態様を例示している。しかしながら、本発明は当該態様に限定されない。具体的には該アライメントプリズム絞り２２３を用いずに得られる単独の基点像によってアライメントを実行することも可能である。この場合、前述した抽出手段は複数の輝点像より任意の輝点像を抽出し、輝度値比較手段は複数の輝点像において該任意の輝点像とこれに対応する輝点像との間で輝度値の比較を行い、選択手段がアライメントに用いる輝点像として該比較結果から特定の輝点像を選択することとなる。即ち、実施例における複数組の輝点像がこの場合の任意の輝点像に対応し、各組における対応する輝点像同士の輝度値比較が単に対応する輝点像同士の輝度値比較となり、選択された一組の輝点像が特定の輝点像に対応する。
【００４８】
以上述べたように、本発明によれば、アライメント輝点像候補の組合せが複数あり、且つ輝度値の比較を行っても差がない場合であっても、好適なアライメントが可能となる。本来のアライメント輝点像は空気と角膜との間の反射であり、他のアライメント輝点像は房水とＩＯＬとの間の反射であるので前者の方が明るい。これを利用することで、アライメント光源の光量を減光することによって輝点像候補の組合せ間で輝点の輝度差をつくり、本来のアライメント輝点像の組合せを判断して、輝度値が飽和している場合であっても正しいアライメント輝点像の組合せを決定することができる。このため、アライメント動作を間違わないためアライメント時間を短縮することができ、精度良く正しくできるので被検者に負担をかけることがない。
【００４９】
また、本発明によれば、アライメント輝点像候補の組合せが複数あり、且つ輝度値の比較を行っても差がない場合であっても、好適なアライメントが可能となる。本来のアライメント輝点像は空気と角膜との間の反射であり、他のアライメント輝点像は房水とＩＯＬとの間の反射であるので前者の方が明るい。これを利用することで、撮像手段のゲインを下げることによって輝点像候補の組合せ間で輝点の輝度差をつくり、本来のアライメント輝点像の組合せを判断して、輝度値が飽和している場合であっても正しいアライメント輝点像の組合せを決定できる。このため、アライメント動作を間違わずに精度良く正しくできる。また、撮像手段のノイズ成分も低くすることができるので輝点検出の精度を上げることができる。
【００５０】
さらに、本発明によれば、撮像手段のゲインを低くすると被検眼前眼部像も暗くなってしまい検者が観察しにくくなってしまう。そのため前眼部照明光源の光量を増光して補うことにより被検眼前眼部像が暗くならずにすみ、検者が観察しにくくなることがない。
【００５１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５２】
Ｅ  被検眼
２０１  眼屈折力測定及びアライメント指標用光源
２０７  絞り
２２０  撮像手段
２２３  アライメントプリズム絞り
２５１  アライメント手段
２５２  輝点検出手段
【図１】
2014023805.tif 000003
【図２】
2014023805.tif 000004
【図３】
2014023805.tif 000005
【図４】
2014023805.tif 000006
【図５】
2014023805.tif 000007
【図６】
2014023805.tif 000008
【図７】
2014023805.tif 000009
【図８】
2014023805.tif 000010
【図９】
2014023805.tif 000011
【図１０】
2014023805.tif 000012
【図１１】
2014023805.tif 000013
【図１２】
2014023805.tif 000014
【図１３】
2014023805.tif 000015
【図１４】
2014023805.tif 000016